(57)【要約】【課題】 部品数を減らすと共に電力消費の低減を可能にしたプラズマディスプレイパネルのエネルギー回収装置及び方法を提供する。【解決手段】 サステイン電圧源と、放電セルに等価的に形成されるパネルキャパシタと、前記パネルキャパシタの一側が充電される時に第１充電経路を形成する第１充電部と、前記パネルキャパシタの他側が充電される時に第２充電経路を形成する第２充電部と、前記パネルキャパシタに前記サステイン電圧を供給すると共に前記第１充電経路を形成する第１電源部と、前記パネルキャパシタに基底電圧源を供給すると共に前記第２充電経路を形成する第２電源部と、を含む。【選択図】  図４
2005092220.tif 000002
【特許請求の範囲】
【請求項１】
サステイン電圧源と、
放電セルに等価的に形成されるパネルキャパシタと、
前記パネルキャパシタの一側が充電される時に第１充電経路を形成する第１充電部と、
前記パネルキャパシタの他側が充電される時に第２充電経路を形成する第２充電部と、
前記パネルキャパシタに前記サステイン電圧を供給すると共に前記第１充電経路を形成する第１電源部と、
前記パネルキャパシタに基底電圧源を供給すると共に前記第２充電経路を形成する第２電源部と、
を含むことを特徴とするプラズマディスプレイパネルのエネルギー回収装置
【請求項２】
前記第１電源部は、
前記サステイン電圧源と前記パネルキャパシタの一側との間に設置されると共に前記第１充電経路を形成する第１スィッチと、
前記サステイン電圧源と前記パネルキャパシタの他側との間に設置される第２スィッチと、
を含むことを特徴とする請求項１記載のプラズマディスプレイパネルのエネルギー回収装置。
【請求項３】
前記第２電源部は、
前記基底電圧源と前記パネルキャパシタの一側との間に設置されると共に前記第２充電経路を形成する第３スィッチと、
前記基底電圧源と前記パネルキャパシタの他側との間に設置される第４スィッチと、
を含むことを特徴とする請求項１記載のプラズマディスプレイパネルのエネルギー回収装置。
【請求項４】
前記第１充電部は、
前記パネルキャパシタの他側と前記第１スィッチとの間に設置されて前記パネルキャパシタと共振回路を形成するための第１インダクタと、
前記第１インダクタと前記第１スィッチとの間に設置されて逆電流を防止するための第１ダイオードと、
を含むことを特徴とする請求項１記載のプラズマディスプレイパネルのエネルギー回収装置。
【請求項５】
前記第２充電部は、
前記パネルキャパシタの他側と前記第３スィッチとの間に設置されて前記パネルキャパシタと共振回路を形成するための第２インダクタと、
前記第２インダクタと前記第３スィッチとの間に設置されて逆電流を防止するための第２ダイオードと、
を含むことを特徴とする請求項１記載のプラズマディスプレイパネルのエネルギー回収装置。
【請求項６】
前記第２スィッチと前記第１充電部との間に設置されて逆電流を防止するためのダイオードをさらに含むことを特徴とする請求項２記載のプラズマディスプレイパネルのエネルギー回収装置。
【請求項７】
前記第４スィッチと前記パネルキャパシタの他側との間に設置されて逆電流を防止するためのダイオードをさらに含むことを特徴とする請求項３記載のプラズマディスプレイパネルのエネルギー回収装置。
【請求項８】
前記第２充電部は、
前記パネルキャパシタの他側と前記第３スィッチとの間に設置されて前記パネルキャパシタと共振回路を形成するための第２インダクタと、
前記第２インダクタと前記第３スィッチとの間に設置されて逆電流を防止するための第２ダイオードと、を含むことを特徴とする請求項４記載のプラズマディスプレイパネルのエネルギー回収装置。
【請求項９】
前記第１インダクタ及び第２インダクタは結合インダクタになっていることを特徴とする請求項８記載のプラズマディスプレイパネルのエネルギー回収装置。
【請求項１０】
前記第１インダクタ及び第２インダクタは互いに逆電圧の誘起を図る巻線方向が設定されることを特徴とする請求項９記載のプラズマディスプレイパネルのエネルギー回収装置。
【請求項１１】
前記第１インダクタ及び第２インダクタは、巻線方向が、前記パネルキャパシタの充／放電時に前記第１ダイオード及び第２ダイオードの間で略０Ｖの電圧を維持できるように設定されることを特徴とする請求項９又は１０に記載のプラズマディスプレイパネルのエネルギー回収装置。
【請求項１２】
サステイン電圧源と、放電セルに等価的に形成されるパネルキャパシタと、前記パネルキャパシタの一側が充電される時に第１充電経路を形成する第１充電部と、前記パネルキャパシタの他側が充電される時に第２充電経路を形成する第２充電部と、前記パネルキャパシタに前記サステイン電圧を供給すると共に前記第１充電経路を形成する第１電源部と、前記パネルキャパシタに基底電圧源を供給すると共に前記第２充電経路を形成する第２電源部と、を具備するプラズマディスプレイパネルのエネルギー回収装置において、
前記第１充電部は、前記パネルキャパシタの他側と前記第１スィッチとの間に設置されて前記パネルキャパシタと共振回路を形成するための第１インダクタと、前記第１インダクタと前記第１スィッチとの間に設置されて逆電流を防止するための第１ダイオードと、を具備し、
前記第２充電部は、前記パネルキャパシタの他側と前記第３スィッチとの間に設置されて前記パネルキャパシタと共振回路を形成するための第２インダクタと、前記第２インダクタと前記第３スィッチとの間に設置されて逆電流を防止するための第２ダイオードと、を具備し、
前記第１インダクタ及び第２インダクタは結合インダクタになっていることを特徴とするプラズマディスプレイパネルのエネルギー回収装置。
【請求項１３】
前記第１インダクタ及び第２インダクタは互いに逆電圧の誘起を図る巻線方向が設定されることを特徴とする請求項１２記載のプラズマディスプレイパネルのエネルギー回収装置。
【請求項１４】
前記第１インダクタ及び第２インダクタは、巻線方向が、前記パネルキャパシタの充／放電時に前記第１ダイオード及び第２ダイオードの間で略０Ｖの電圧を維持できるように設定されることを特徴とする請求項１２又は１３に記載のプラズマディスプレイパネルのエネルギー回収装置。
【請求項１５】
放電セルに等価的に形成されるパネルキャパシタの他側の充電電圧を、第１インダクタを含む第１充電経路を用いて前記パネルキャパシタの一側に供給する段階と、
前記パネルキャパシタの一側の充電電圧を、第２インダクタを含む第２充電経路を用いて前記パネルキャパシタの他側に供給する段階と、を含み、
前記パネルキャパシタの一側及び他側に電圧が供給される時、前記第１インダクタに誘起される電圧と前記第２インダクタに誘起される電圧とは逆電圧であることを特徴とするプラズマディスプレイパネルのエネルギー回収方法。
【請求項１６】
前記第１インダクタ及び第２インダクタは、前記逆電圧の誘起を図る巻線方向が設定された結合インダクタであることを特徴とする請求項１５記載のプラズマディスプレイパネルのエネルギー回収方法。
【請求項１７】
前記第１充電経路を経て前記パネルキャパシタの一側が充電された後その充電電圧を維持する段階と、
前記第２充電経路を経て前記パネルキャパシタの他側が充電された後その充電電圧を維持する段階と、をさらに含むことを特徴とする請求項１５記載のプラズマディスプレイパネルのエネルギー回収方法。
【発明の詳細な説明】
【技術分野】
【０００１】
本発明は、プラズマディスプレイパネルに係り、より詳細には、プラズマディスプレイパネルのエネルギー回収装置及び方法に関する。
【背景技術】
【０００２】
プラズマディスプレイパネル（Plasma Display Panel：以下「ＰＤＰ」という）はデジタルビデオデータにによって各画素のそれぞれのガス放電期間を調節することによって画像を表示する。このようなＰＤＰには、図１に示すように、３電極を備えて交流電圧によって駆動されるＰＤＰが代表的なものである。
図１を参照すると、３電極交流面放電型ＰＤＰの放電セルは、上部基板１０上に形成されられた走査電極２８Ｙ及び維持電極２９Ｚと、下部基板１８上に形成されたアドレス電極２０Ｘとを具備する。
【０００３】
走査電極２８Ｙおよび維持電極２９Ｚのそれぞれは、透明電極１２Ｙ、１２Ｚと、透明電極１２Ｙ、１２Ｚの線幅より小さな線幅を有し、透明電極の一側端の領域に形成される金属バス電極１３Ｙ、１３Ｚとを含む。透明電極１２Ｙ、１２Ｚは、通常インジウム−スズ−オキサイド（Indium-Tin-Oxide：以下、「ＩＴＯ」という）によって上部基板１０上に形成される。金属バス電極１３Ｙ、１３Ｚは、通常クロム（Ｃｒ）などの金属によって透明電極１２Ｙ、１２Ｚ上に形成され、高抵抗の透明電極１２Ｙ、１２Ｚによる電圧降下を減らす役目をする。走査電極２８Ｙと維持電極２９Ｚとが形成された上部基板１０には、上部誘電体層１４および保護膜１６が積層される。上部誘電体層１４にはプラズマ放電時に発生した壁電荷が蓄積される。保護膜１６は、プラズマ放電時に発生したスパッタリングによる上部誘電体層１４の損傷を防止すると共に２次電子の放出效率を高める。保護膜１６としては、通常、酸化マグネシウム（ＭｇＯ）が用いられる。
【０００４】
アドレス電極２０Ｘは、走査電極２８Ｙおよび維持電極２９Ｚと交差する方向に形成される。アドレス電極２０Ｘの形成された下部基板１８上には、下部誘電体層２２と隔壁２４とが形成され、該下部誘電体層２２および隔壁２４の表面には、蛍光体層２６が形成される。隔壁２４はアドレス電極２０Ｘに並んで形成され、放電セルを物理的に区分し、放電によって生成された紫外線および可視光が隣接した放電セルに漏洩することを防止する。蛍光体層２６はプラズマ放電時に発生した紫外線によって励起・発光され、赤色、緑色または青色のいずれか一つの可視光線を発生するようになる。上／下部基板１０、１８と隔壁２４との間に設けられた放電セルの放電空間には、放電のためのＨｅ＋Ｘｅ、Ｎｅ＋ＸｅおよびＨｅ＋Ｎｅ＋Ｘｅなどの不活性混合ガスが注入される。
【０００５】
このように駆動される交流面放電ＰＤＰのアドレス放電およびサステイン放電には、数百Ｖ以上の高圧が必要となる。したがって、アドレス放電およびサステイン放電に必要な駆動電力を最小化するためにエネルギー回収装置が用いられる。エネルギー回収装置は走査電極Ｙおよび維持電極Ｚとの間の電圧を回収し、該回収された電圧を次回の放電時の駆動電圧として用いる。
【０００６】
図２を参照すると、Ｗｅｂｅｒによって提案されたＰＤＰエネルギー回収装置３０，３２は、パネルキャパシタＣｐを挟んで互いに対称的に設けられる。ここで、パネルキャパシタＣｐは、走査電極Ｙと維持電極Ｚとの間に形成される静電容量を等価的に表したものである。第１エネルギー回収装置３０は走査電極Ｙにサステインパルスを供給する。第２エネルギー回収装置３２は、第１エネルギー回収装置３０と交互に動作しながら維持電極Ｚにサステインパルスを供給する。
【０００７】
従来のＰＤＰのエネルギー回収装置３０、３２の構成を、第１エネルギー回収装置３０を参照して説明する。第１エネルギー回収装置３０は、パネルキャパシタＣｐとソースキャパシタＣｓとの間に接続されたインダクタＬと、ソースキャパシタＣｓとインダクタＬとの間に並列に接続された第１および第３スイッチＳ１、Ｓ３と、パネルキャパシタＣｐとインダクタＬとの間に並列に接続された第２および第４スイッチＳ２、Ｓ４とを備える。
【０００８】
第２スイッチＳ２はサステイン電圧源Ｖｓに接続され、第４スイッチＳ４は基底電圧源ＧＮＤに接続される。ソースキャパシタＣｓはサステイン放電時にパネルキャパシタＣｐに充電される電圧を回収して充電すると共に、充電された電圧をパネルキャパシタＣｐに再供給する。このようなソースキャパシタＣｓにはサステイン電圧源Ｖｓの半分値にあたるＶｓ／２の電圧が充電される。インダクタＬはパネルキャパシタＣｐと共に共振回路を形成する。第１ないし第４スイッチ（Ｓ１ないしＳ４）は電流の流れを制御する。
【０００９】
一方、第１および第２スイッチＳ１、Ｓ２とインダクタＬとの間にそれぞれ設けられた第５および第６ダイオードＤ５、Ｄ６は、電流が逆方向に流れることを防止する。
図３は、第１エネルギー回収装置の各スイッチのオン／オフタイミングとパネルキャパシタとの出力波形を表すタイミング図および波形図である。
Ｔ１期間以前にパネルキャパシタＣｐには０Ｖの電圧が充電されると共に、ソースキャパシタＣｓにはＶｓ／２の電圧が充電されていると仮定して動作過程を詳しく説明する。
【００１０】
Ｔ１期間では、第１スイッチＳ１がターンオン（Turn-on）されてソースキャパシタＣｓから第１スイッチＳ１、インダクタＬおよびパネルキャパシタＣｐに繋がる電流パスが形成される。電流パスが形成されると、ソースキャパシタＣｓに充電された電圧がパネルキャパシタＣｐに供給される。このとき、インダクタＬとパネルキャパシタＣｐとが直列共振回路を形成するので、パネルキャパシタＣｐにはＶｓ電圧が充電される。
【００１１】
Ｔ２期間では、第２スイッチＳ２がターンオンされる。第２スイッチＳ２がターンオンされると、サステイン電圧源Ｖｓの電圧が走査電極Ｙに供給される。走査電極Ｙに供給されるサステイン電圧源Ｖｓの電圧は、パネルキャパシタＣｐの電圧がサステイン電圧源Ｖｓ未満に落ちることを防止し、サステイン放電が正常に起こるようにする。一方、パネルキャパシタＣｐの電圧はＴ１期間中にＶｓまで上昇したので、サステイン放電を引き起こすために外部から供給される駆動電力は最小化される。
【００１２】
Ｔ３期間では、第１スイッチＳ１がターンオフされる。このとき、第１電極ＹはＴ３期間中にサステイン電圧源Ｖｓの電圧を維持する。
Ｔ４期間では、第２スイッチＳ２がターンオフされると共に第３スイッチＳ３がターンオンされる。第３スイッチＳ３がターンオンされると、パネルキャパシタＣｐからインダクタＬおよび第３スイッチＳ３を介してソースキャパシタＣｓに繋がる電流パスが形成され、パネルキャパシタＣｐに充電された電圧がソースキャパシタＣｓに回収される。このとき、ソースキャパシタＣｓにはＶｓ／２の電圧が充電される。
【００１３】
Ｔ５期間では、第３スイッチＳ３がターンオフされると共に第４スイッチＳ４がターンオンされる。第４スイッチＳ４がターンオンされると、パネルキャパシタＣｐと基底電圧源ＧＮＤとの間に電流パスが形成され、パネルキャパシタＣｐの電圧が０Ｖに降下する。Ｔ６期間では、Ｔ５状態を一定の時間維持する。実際に、走査電極Ｙおよび維持電極Ｚに供給される交流駆動パルスは、Ｔ１ないしＴ６期間が周期的に繰り返されながら得られる。
【００１４】
一方、第２エネルギー回収装置３２は、第１エネルギー回収装置３０と交互に動作しながらパネルキャパシタＣｐに駆動電圧を供給するようになる。したがって、パネルキャパシタＣｐには、互いに反対の極性を有するサステインパルス電圧Ｖｓが供給されるようになる。このように、パネルキャパシタＣｐに、互いに反対の極性を有するサステインパルス電圧Ｖｓが供給されることにより、各放電セルにおいてサステイン放電が起こるようになる。
【００１５】
しかし、このような従来のエネルギー回収装置３０、３２は、第１電極Ｙ側に設置された第１エネルギー回収装置３０及び第２電極Ｚ側に設置された第２エネルギー回収装置３２がそれぞれ動作することになっているので、多くの回路部品（スイチング素子など）が必要とされ、これによって製造コストが上昇するという問題点がある。さらに、電流パス上の多数のスイッチ（ダイオード、スィッチ素子、インダクタ）の導通損失による多くの電力消費の消耗をもたらす。
【発明の開示】
【発明が解決しようとする課題】
【００１６】
本発明は、かかる従来の問題点を解決するためのもので、その目的は、部品数を減らすと共に電力消費の低減を可能にしたプラズマディスプレイパネルのエネルギー回収装置及び方法を提供することにある。
【課題を解決するための手段】
【００１７】
上記目的を達成するために、本発明の実施形態に係るプラズマディスプレイパネルのエネルギー回収装置は、サステイン電圧源と、放電セルに等価的に形成されるパネルキャパシタと、前記パネルキャパシタの一側が充電される時に第１充電経路を形成する第１充電部と、前記パネルキャパシタの他側が充電される時に第２充電経路を形成する第２充電部と、前記パネルキャパシタに前記サステイン電圧を供給すると共に前記第１充電経路を形成する第１電源部と、前記パネルキャパシタに基底電圧源を供給すると共に前記第２充電経路を形成する第２電源部と、を含むことを特徴とする。
【００１８】
また、前記前記第１電源部は、前記サステイン電圧源と前記パネルキャパシタの一側との間に設置されると共に前記第１充電経路を形成する第１スィッチと、 前記サステイン電圧源と前記パネルキャパシタの他側との間に設置される第２スィッチと、を含むことを特徴とする。
また、前記第２電源部は、前記基底電圧源と前記パネルキャパシタの一側との間に設置されると共に前記第２充電経路を形成する第３スィッチと、前記基底電圧源と前記パネルキャパシタの他側との間に設置される第４スィッチと、を含むことを特徴とする。
【００１９】
また、前記第１充電部は、前記パネルキャパシタの他側と前記第１スィッチとの間に設置されて前記パネルキャパシタおよび共振回路を形成するための第１インダクタと、前記第１インダクタと前記第１スィッチとの間に設置されて逆電流を防止するための第１ダイオードと、を含むことを特徴とする。
また、前記第２充電部は、前記パネルキャパシタの他側と前記第３スィッチとの間に設置されて前記パネルキャパシタおよび共振回路を形成するための第２インダクタと、前記第２インダクタと前記第３スィッチとの間に設置されて逆電流を防止するための第２ダイオードと、を含むことを特徴とする。
【００２０】
また、前記第２スィッチと前記サステイン電圧源との間に設置されて逆電流を防止するためのダイオードをさらに含むことを特徴とする。
また、前記第４スィッチと前記パネルキャパシタの他側との間に設置されて逆電流を防止するためのダイオードをさらに含むことを特徴とする。
また、 前記第２充電部は、 前記パネルキャパシタの他側と前記第３スィッチとの間に設置されて前記パネルキャパシタおよび共振回路を形成するための第２インダクタと、 前記第２インダクタと前記第３スィッチとの間に設置されて逆電流を防止するための第２ダイオードと、を含むことを特徴とする。
【００２１】
また、前記第１インダクタ及び第２インダクタは互いに逆電圧の誘起を図る巻線方向が設定されることを特徴とする。
また、前記第１インダクタ及び第２インダクタは、巻線方向が、前記パネルキャパシタの充／放電時に前記第１ダイオード及び第２ダイオードの間で略０Ｖの電圧を維持できるように設定されることを特徴とする。
【００２２】
本発明の他の実施形態に係るプラズマディスプレイパネルのエネルギー回収装置は、サステイン電圧源と、放電セルに等価的に形成されるパネルキャパシタと、前記パネルキャパシタの一側が充電される時に第１充電経路を形成する第１充電部と、前記パネルキャパシタの他側が充電される時に第２充電経路を形成する第２充電部と、前記パネルキャパシタに前記サステイン電圧を供給すると共に前記第１充電経路を形成する第１電源部と、前記パネルキャパシタに基底電圧源を供給すると共に前記第２充電経路を形成する第２電源部と、を具備するプラズマディスプレイパネルのエネルギー回収装置において、前記第１充電部は、前記パネルキャパシタの他側と前記第１スィッチとの間に設置されて前記パネルキャパシタおよび共振回路を形成するための第１インダクタと、前記第１インダクタと前記第１スィッチとの間に設置されて逆電流を防止するための第１ダイオードと、を具備し、前記第２充電部は、前記パネルキャパシタの他側と前記第３スィッチとの間に設置されて前記パネルキャパシタおよび共振回路を形成するための第２インダクタと、前記第２インダクタと前記第３スィッチとの間に設置されて逆電流を防止するための第２ダイオードと、を具備し、前記第１インダクタ及び第２インダクタは結合インダクタになっていることを特徴とする。
【００２３】
また、 前記第１インダクタ及び第２インダクタは互いに逆電圧の誘起を図る巻線方向が設定されることを特徴とする。
また、 前記第１インダクタ及び第２インダクタは、巻線方向が、前記パネルキャパシタの充／放電時に前記第１ダイオード及び第２ダイオードの間で略０Ｖの電圧を維持できるように設定されることを特徴とする
本発明の実施形態に係るプラズマディスプレイパネルのエネルギー回収方法は、放電セルに等価的に形成されるパネルキャパシタの他側の充電電圧を、第１インダクタを含む第１充電経路を用いて前記パネルキャパシタの一側に供給する段階と、前記パネルキャパシタの一側の充電電圧を、第２インダクタを含む第２充電経路を用いて前記パネルキャパシタの他側に供給する段階と、を含み、前記パネルキャパシタの一側及び他側に電圧が供給される時、前記第１インダクタに誘起される電圧と前記第２インダクタに誘起される電圧とは逆電圧であることを特徴とする。
【００２４】
また、前記エネルギー回収方法において、前記第１インダクタ及び第２インダクタは、前記逆電圧の誘起を図る巻線方向が設定された結合インダクタであることを特徴とする。
また、前記エネルギー回収方法は、前記第１充電経路を経て前記パネルキャパシタの一側が充電された後その充電電圧を維持する段階と、前記第２充電経路を経て前記パネルキャパシタの他側が充電された後その充電電圧を維持する段階と、をさらに含むことを特徴とする。
【発明の効果】
【００２５】
本発明に係るプラズマディスプレイパネルのエネルギー回収装置及び方法によれば、パネルキャパシタの一側に充電された電圧を用いてパネルキャパシタの他側を充電することにより、回路部品数を減らすことができ、これによって電力消費及び製造コストを低減することができる。また、本発明では、互いに逆電圧の印加を図るために巻線方向が設定された結合インダクタを利用することにより、回路部品の耐圧を減らすことができる。
【発明を実施するための最良の形態】
【００２６】
以下、添付図面を参照して本発明の好適な実施形態を詳細に説明する。
図４は本発明の実施形態に係るエネルギー回収装置を示す図である。図４に示すように、本発明の実施形態に係るエネルギー回収装置は、走査電極Ｙと維持電極Ｚとの間に形成される静電容量を等価的に表すパネルキャパシタＣｐと、パネルキャパシタＣｐに接続されるように設置される第１電源部４０及び第２電源部４１と、パネルキャパシタＣｐの一側（例えば、走査電極Ｙ側）の充電経路を提供するための第１充電部４２と、パネルキャパシタＣｐの他側（例えば、維持電極Ｚ側）の充電経路を提供するための第２充電部４４と、を具備する。
【００２７】
第１電源部４０はパネルキャパシタＣｐにサステイン電圧Ｖｓを供給する。このために、第１電源部４０はサステイン電圧源Ｖｓに接続された第１スィッチＳ１及び第４スィッチＳ４を具備する。
第２電源部４１はパネルキャパシタＣｐに基底電圧ＧＮＤを供給する。このために、第２電源部４１は基底電圧源ＧＮＤに接続された第３スィッチＳ３及び第２スィッチＳ２を具備する。
【００２８】
第１スィッチＳ１はパネルキャパシタＣｐの一側にサステイン電圧Ｖｓが供給される時にターンオンされる。そして、第１スィッチＳ１は第１充電部４２とともにパネルキャパシタＣｐの一側の充電経路を提供する（詳細な説明は後述する）。第４スィッチＳ４はパネルキャパシタＣｐの他側にサステイン電圧Ｖｓが供給される時にターンオンされる。
第３スィッチＳ３はパネルキャパシタＣｐの一側に基底電圧ＧＮＤが供給される時にターンオンされる。そして、第３スィッチＳ３は第２充電部４４とともにパネルキャパシタＣｐの他側の充電経路を提供する（詳細な説明は後述する）。第２スィッチＳ２はパネルキャパシタＣｐの他側に基底電圧ＧＮＤが供給される時にターンオンされる。一方、第１及び第３スィッチＳ１、Ｓ３内部には電流の流れを第御するための内部ダイオードＤ１、Ｄ３が設置される。
【００２９】
第１充電部４２は、パネルキャパシタＣｐの一側が充電される時、第１スィッチＳ１とともに充電経路を提供すると共に、パネルキャパシタＣｐとともに共振回路を構成する。このために、第１充電部４２は、第１スィッチＳ１とパネルキャパシタＣｐの他側との間に設置される第１インダクタＬ１と、第１インダクタＬ１と第１スィッチＳ１との間に設置される第５ダイオードＤ５と、を具備する。第１インダクタＬ１は、パネルキャパシタＣｐの一側が充電される時にパネルキャパシタＣｐとともに共振回路を形成する。第５ダイオードＤ５は逆電流が流れることを防止する。
【００３０】
第２充電部４４は、パネルキャパシタＣｐの他側が充電される時、第３スィッチＳ３とともに充電経路を提供すると共に、パネルキャパシタＣｐとともに共振回路を構成する。このために、第２充電部４４は、第３スィッチＳ３とパネルキャパシタＣｐの他側との間に設置される第２インダクタＬ２と、第２インダクタＬ２と第３スィッチＳ３との間に設置される第６ダイオードＤ６と、を具備する。第２インダクタＬ２は、パネルキャパシタＣｐの他側が充電される時にパネルキャパシタＣｐとともに共振回路を形成する。第６ダイオードＤ６は逆電流が流れることを防止する。
【００３１】
図５は図４に示したエネルギー回収装置のスィッチタイミング図及びパネルキャパシタに供給される電圧の波形図を示す図である。パネルキャパシタＣｐの一側（Ｙ側）を正極性に設定し、パネルキャパシタＣｐの他側（Ｚ側）を負極性に設定して、動作過程を詳しく説明する。
まず、Ｔ１期間以前にパネルキャパシタＣｐのＺ側に＋Ｖｓの電圧が充電されたと仮定して動作過程を説明する。Ｔ１期間では第１スィッチＳ１がターンオンされる。第１スィッチＳ１がターンオンされると、パネルキャパシタＣｐのＺ側、第１インダクタＬ１、第５ダイオードＤ５及び第１スィッチＳ１を経由してパネルキャパシタＣｐのＹ側に繋がる電流パスが形成される。すなわち、第１スィッチＳ１がターンオンされると、パネルキャパシタＣｐのＺ側の電圧がパネルキャパシタＣｐのＹ側に供給される。この時、第１インダクタＬ１及びパネルキャパシタＣｐが共振回路を形成するので、パネルキャパシタＣｐのＹ側の電圧は＋Ｖｓまで上昇する。
【００３２】
Ｔ２期間では第２スィッチＳ２がターンオンされる。第２スィッチＳ２がターンオンされると、サステイン電圧源Ｖｓ、第１スィッチＳ１、パネルキャパシタＣｐのＹ側、Ｚ側及び第２スィッチＳ２を経由して基底電圧源ＧＮＤに繋がる電流パスが形成される。この時、パネルキャパシタＣｐのＹ側にサステイン電圧Ｖｓが供給される。すなわち、Ｔ２期間では、パネルキャパシタＣｐのＹ側がサステイン電圧Ｖｓを維持しながら安定的なサステイン放電が行われるようにする。
【００３３】
Ｔ３期間では、第１及び第２スィッチＳ１、Ｓ２がターンオフされると共に第３スィッチＳ３がターンオンされる。第３スィッチＳ３がターンオンされると、パネルキャパシタＣｐのＹ側、第３スィッチＳ３、第６ダイオードＤ６、第２インダクタＬ２を経由してパネルキャパシタＣｐのＺ側に繋がる電流パスが形成される。すなわち、第３スィッチＳ３がターンオンされると、パネルキャパシタＣｐのＹ側の電圧がパネルキャパシタＣｐのＺ側に供給される。この時、第２インダクタＬ２及びパネルキャパシタＣｐが共振回路を形成するので、パネルキャパシタＣｐのＺ側の電圧は＋Ｖｓまで上昇する。
【００３４】
Ｔ４期間では第４スィッチＳ４がターンオンされる。第４スィッチＳ４がターンオンされると、サステイン電圧源Ｖｓ、第４スィッチＳ４、パネルキャパシタＣｐのＺ側、Ｙ側及び第３スィッチ３を経由して基底電圧源ＧＮＤに繋がる電流パスが形成される。この時、パネルキャパシタＣｐのＺ側にサステイン電圧Ｖｓが供給される。すなわち、Ｔ４期間では、パネルキャパシタＣｐのＺ側が＋Ｖｓの電圧を維持しながら安定的なサステイン放電が行われるようにする。
【００３５】
一方、本発明では、図６に示すように、第４スィッチＳ４及び第５ダイオードＤ５の間に設置される第７ダイオードＤ７と、第２スィッチＳ２及びパネルキャパシタＣｐのＺ側の間に設置される第８ダイオードＤ８と、第２スィッチＳ２及び第４スィッチＳ４のそれぞれに設置される内部ダイオードＤ２、Ｄ４をさらに具備することができる。このような第７ダイオードＤ７、第８ダイオードＤ８及び内部ダイオードＤ２、Ｄ４は逆電流を防止しながらエネルギー回収装置の安定的な動作を図る。
【００３６】
このような本発明の実施形態に係るエネルギー回収装置は、パネルキャパシタＣｐの一側に充電された電圧を用いてパネルキャパシタＣｐの他側を充電することにより、従来に比べて部品数を減らすことができ、これによって電力消費及び製造コストを低減することができるという長所がある。
一方、図４に示した本発明の実施形態に係るエネルギー回収装置は、高い耐圧を持つダイオードＤ５、Ｄ６を必要とする問題点を有する。これを詳細に説明すると、パネルキャパシタＣｐの一側（または他側）の電圧が他側（または一側）に供給される時、共振回路を経由して供給されることにより、Ｖｓ（または−Ｖｓ）の電圧が−Ｖｓ（またはＶｓ）に下降する。よって、パネルキャパシタＣｐの充／放電時に第５ダイオードＤ５及び第６ダイオードＤ６の両端にかかる最大電圧は２Ｖｓと設定される。すなわち、図４に示した本発明の実施形態に係るエネルギー回収装置では、第５ダイオードＤ５及び第６ダイオードＤ６の耐圧を２Ｖｓ以上と設定する必要があり、これにより追加的な製造コストの上昇が発生する。
【００３７】
一方、このような問題点を乗り越えるために図７のような本発明の他の実施形態に係るエネルギー回収装置が提案される。
図７は図４に示したたエネルギー回収装置と同一の方法で駆動される。ただし、図７に示した本発明の他の実施形態に係るエネルギー回収装置では、第１及び第２インダクタＬ１、L２が結合インダクタになっている。
【００３８】
図７を参照すると、本発明の他の実施形態に係るエネルギー回収装置は、走査電極Ｙと維持電極Ｚとの間に形成される静電容量を等価的に表すパネルキャパシタＣｐと、パネルキャパシタＣｐに接続されるように設置される電源供給部４０と、パネルキャパシタＣｐの一側（例えば、走査電極Ｙ側）の充電経路を提供するための第１充電部４２と、パネルキャパシタＣｐの他側（例えば、維持電極Ｚ側）の充電経路を提供するための第２充電部４４と、を具備する。ここで、本発明の他の実施形態に係るエネルギー回収装置の動作過程は、上述した本発明の実施形態（図４）と同一であるので、動作過程の詳細な説明は省略する。
【００３９】
ただし、本発明の他の実施形態における第１インダクタＬ１及び第２インダクタＬ２は結合インダクタになっている。ここで、結合インダクタは概略的に図８のように構成され、第１インダクタＬ１（または第２インダクタＬ２）に供給される電流によって第２インダクタＬ２（第１インダクタＬ１）にも同一の大きさの電流（または電圧）が誘導される。
【００４０】
結合インダクタの巻線方向は、図９及び図１０に示すように、パネルキャパシタＣｐの充／放電動作時に第１インダクタＬ１及び第２インダクタＬ２のそれぞれに逆電圧が誘起されるように設定される。言い換えれば、第１インダクタＬ１及び第２インダクタＬ２の巻線方向は、パネルキャパシタＣｐの充／放電動作時に第５ダイオードＤ５及び第６ダイオードＤ６の間の電圧が０Ｖになるように設定される。すなわち、パネルキャパシタＣｐの充／放電時に第１インダクタＬ１及び第２インダクタＬ２に互いに逆方向の電圧が誘起されるので、第５ダイオードＤ５及び第６ダイオードＤ６の間の電圧の和は略０Ｖと設定される。
【００４１】
このように、パネルキャパシタＣｐの充／放電動作時に第５ダイオードＤ５及び第６ダイオードＤ６の間の電圧が略０Ｖに設定されると、第５ダイオードＤ５及び第６ダイオードＤ６の耐圧を略Ｖｓと設定することができる。言い換えれば、パネルキャパシタＣｐの充／放電動作時に第５ダイオードＤ５及び第６ダイオードＤ６の両端に印加される最大電圧はＶｓ以下に設定され、これにより製造コストの上昇を防止することができる。
【図面の簡単な説明】
【００４２】
【図１】従来の３電極交流面放電型ＰＤＰの放電セルの構造を示す斜視図である。
【図２】従来のエネルギー回収装置を示す回路図である。
【図３】図２に示した各スイッチの動作タイミングを示すタイミング図である。
【図４】本発明の実施形態に係るエネルギー回収装置を示す回路図である。
【図５】図４に示した各スイッチの動作タイミングを示すタイミング図である。
【図６】図４に示したエネルギー回収装置に追加設置される多数のダイオードを示す回路図である。
【図７】本発明の他の実施形態に係るエネルギー回収装置を示す回路図である。
【図８】図７に示した第１インダクタ及び第２インダクタを示す図である。
【図９】図７に示した第１インダクタ及び第２インダクタに誘起される電圧を示す図である。
【図１０】図７に示した第１インダクタ及び第２インダクタに誘起される電圧を示す図である。
【符号の説明】
【００４３】
１０ 上部基板
２８Ｙ 走査電極
２９Ｚ 維持電極
１８ 下部基板
２０Ｘ アドレス電極
１２Ｙ、１２Ｚ 透明電極
１３Ｙ、１３Ｚ 金属バス電極
２２ 下部誘電体層
２４隔壁
２６蛍光体層
【図１】
2005092220.tif 000003
【図２】
2005092220.tif 000004
【図３】
2005092220.tif 000005
【図４】
2005092220.tif 000006
【図５】
2005092220.tif 000007
【図６】
2005092220.tif 000008
【図７】
2005092220.tif 000009
【図８】
2005092220.tif 000010
【図９】
2005092220.tif 000011
【図１０】
2005092220.tif 000012